(57)【要約】  【課題】  伝送ロスを低減して高周波信号を伝送する。  【解決手段】  少なくとも３ピン以上のプラグ端子８を有するプラグ部４と、相対するプラグ端子８とそれぞれ接続される少なくとも３ピン以上のジャック端子９を有する入出力端子部６とから構成され、各種信号の授受を行う多ピンコネクタ部２０を構成する。プラグ部４側の少なくとも一対のプラグ端子８Ａ、８Ｃを並列に容量接続して容量接続プラグ端子を構成するとともに、入出力端子部６側の少なくとも一対のジャック端子９Ａ、９Ｃを並列に容量接続して容量接続ジャック端子を構成する。  【選択図】  図１
2008204911.tif 000002
【特許請求の範囲】
【請求項１】
少なくとも３ピン以上のプラグ端子を有するプラグ体と、相対する上記プラグ端子とそれぞれ接続される少なくとも３ピン以上のジャック端子を有するジャック体とから構成され、信号の授受を行う多ピンコネクタ部を構成する接続構造であり、
上記プラグ体側の少なくとも一対の上記プラグ端子を並列に容量接続して容量接続プラグ端子を構成するとともに、上記各プラグ端子と相対接続される上記ジャック体側の少なくとも一対の上記ジャック端子を並列に容量接続して容量接続ジャック端子を構成し、
上記容量接続プラグ端子と上記容量接続ジャック端子を接続して高周波信号の授受を行うことを特徴とする接続構造。
【請求項２】
上記容量接続プラグ端子が高周波信号の給電線路用プラグ端子と他の機能の選択された上記プラグ端子との少なくとも一対の上記プラグ端子を容量接続して構成するとともに、上記容量接続ジャック端子がこれらプラグ端子と相対接続される高周波信号の給電線路用ジャック端子と他の機能の選択された上記ジャック端子との少なくとも一対の上記ジャック端子を容量接続して構成することを特徴とする請求項１に記載の接続構造。
【請求項３】
上記容量接続プラグ端子がグランド線路用の上記プラグ端子と他の機能の選択された上記プラグ端子との少なくとも一対の上記プラグ端子を容量接続して構成するとともに、上記容量接続ジャック端子がこれらプラグ端子と相対接続されるグランド線路用の上記ジャック端子と他の機能の選択された上記ジャック端子との少なくとも一対の上記ジャック端子を容量接続して構成することを特徴とする請求項１に記載の接続構造。
【請求項４】
少なくとも一対の上記プラグ端子間を並列に容量接続して上記容量接続プラグ端子を構成するプラグ側コンデンサと、少なくとも一対の上記ジャック端子間を並列に容量接続して上記容量接続ジャック端子を構成するジャック側コンデンサが、それぞれ上記各プラグ端子と上記各ジャック端子のインダクタンス成分とにより所定の周波数帯域を選択する帯域除去フィルタを構成する所定の容量を有することを特徴とする請求項１に記載の接続構造。
【請求項５】
少なくとも３ピン以上のプラグ端子を有するプラグ部と、電子機器の接続部と接続されることにより高周波信号を含む信号を入出力する高周波コネクタ部と、これらプラグ部と高周波コネクタ部とを接続するケーブル部とから構成され、上記プラグ部が、上記各プラグ端子と相対する少なくとも３ピン以上のジャック端子を有するとともに少なくとも一対の上記ジャック端子が並列に容量接続されて容量接続ジャック端子を構成した電子機器に設けられたジャック体に結合されて信号の授受を行う多ピンコネクタ部を構成する信号伝送ケーブルであり、
上記プラグ部に、上記ジャック体側の上記容量接続ジャック端子を構成する各ジャック端子と相対する少なくとも一対の上記プラグ端子を並列に容量接続することにより容量接続プラグ端子が構成され、
上記プラグ部を上記ジャック体に結合することにより上記容量接続プラグ端子と上記容量接続ジャック端子を接続して高周波信号の授受を行うことを特徴とする信号伝送ケーブル。
【発明の詳細な説明】
【技術分野】
【０００１】
本発明は、電子機器間等において多ピンコネクタ部を構成して各種信号や直流電圧等の授受を行う接続構造及び電子機器間を接続して各種信号や直流電圧等を授受する信号伝送ケーブルに関する。
【背景技術】
【０００２】
各種の携帯型情報端末機器は、小型・軽量化とともに多機能化が図られており、高周波信号とともに音声信号やオーディオ信号等の低周波信号を同時に処理する機能が搭載されるようになっている。例えば、携帯電話機は、通話機能とともにカメラ機能や各種の情報端末機能等が標準搭載されて単なる通話手段から総合携帯端末装置として位置付けられるようになっている。また、携帯電話機は、携帯端末向け地上波デジタルテレビジョン放送の開始に伴い、チューナ機能を内蔵してテレビジョン放送の受信端末機としての機能も搭載されるようになっている。携帯電話機は、例えばハードディスク等の高容量記憶手段を内蔵し、テレビジョン受像機を介してテレビジョン放送の番組を記憶して必要時に再生して視聴することも可能な機能を有するものも提供されている。
【０００３】
携帯電話機１００においては、テレビジョン放送の受信端末機能を備える場合に、通信用の内蔵アンテナに代えて例えば図１３に示すような放送電波を良好に受信するための広帯域型の外付けアンテナとしてイヤホンアンテナ１０１を用いることが提案されている。イヤホンアンテナ１０１は、それぞれイヤホン１０２Ｒ、１０２Ｌを設けたイヤホンコード１０３Ｒ、１０３Ｌをアンテナ素子とし、信号伝送ケーブル（以下、伝送ケーブルと称する）１０５を介して携帯電話機１００の入出力端子部１０４に着脱される。携帯電話機１００は、伝送ケーブル１０５を介してイヤホンアンテナ１０１と接続することにより、音声信号やオーディオ信号を送受信するとともにテレビジョン放送電波（ＲＦ信号）を受信する。
【０００４】
携帯電話機１００は、伝送ケーブル１０５を用いてイヤホンアンテナ１０１と接続し、このイヤホンアンテナ１０１との間で音声信号とともにＲＦ信号の授受を行う。なお、携帯電話機１００は、例えば特許文献１に開示されるように、伝送ケーブル１０５としてＲＦ信号の伝送特性に優れた専用の同軸ケーブル型の伝送ケーブルを用いることも可能である。かかる同軸ケーブル型伝送ケーブルは、比較的高価であり同軸ケーブルが太径で引き回しに不便であるとともに、他の機能との互換性も無い。
【０００５】
一方、携帯電話機１００は、内蔵メモリにテレビジョン放送の番組を録画する機能を備える場合に、テレビジョン受像機１０６に記憶した放送番組を内蔵メモリに取り込む機能も備える。また、携帯電話機１００は、内蔵メモリに記憶した放送番組をテレビジョン受像機１０６に出力して大画面で視聴することも可能である。携帯電話機１００は、入出力端子部１０４に接続した伝送ケーブル１０５を図１４に示すように外部入出力端子部１０７に接続してテレビジョン受像機１０６に接続される。携帯電話機１００は、伝送ケーブル１０５を介してテレビジョン受像機１０６との間で画像信号やオーディオ信号等の授受を行う。携帯電話機１００は、テレビジョン受像機１０６から取り込んだ放送番組を内部に記憶して、適宜再生して視聴する。
【０００６】
ところで、伝送ケーブル１０５は、図１５に示すように多芯ケーブル１０８と、この多芯ケーブル１０８の一端側に設けられて携帯電話機１００の入出力端子部１０４やテレビジョン受像機１０５の外部入出力端子部１０７と着脱される高周波コネクタ部１０９と、多芯ケーブル１０９の他端側に設けられて携帯電話機１００の入出力端子部１０４に着脱されるプラグ部１１０とから構成される。伝送ケーブル１０５は、プラグ部１１０が、例えば１０ピン構成のプラグ端子１１１Ａ〜１１１Ｊ（以下、個別に説明する場合を除いてプラグ端子１１１と総称する。）を有し、多ピンコネクタ部を構成して携帯電話機１００側の入出力端子部１０４に相対して設けられたジャック端子１１２Ａ〜１１２Ｊ（以下、個別に説明する場合を除いてジャック端子と総称する。）とそれぞれ接続される。なお、伝送ケーブル１０５は、例えば各プラグ端子１１１を基板に形成した端子パターンにより構成するが、ピン端子等の適宜の端子構造によっても構成される。
【０００７】
伝送ケーブル１０５は、各プラグ端子１１１がそれぞれ所定の機能を以って携帯電話機１００側の相対するジャック端子１１２とそれぞれ接続される。伝送ケーブル１０５は、例えばアンテナ給電用プラグ端子１１１Ａとグランド用プラグ端子１１１Ｊが相対するアンテナ給電用ジャック端子１１２Ａとグランド用ジャック端子１１２Ｊと接続され、携帯電話機１００とイヤホンアンテナ１０１間でＲＦ信号（高周波信号）が授受されるようにする。伝送ケーブル１０５は、例えばステレオ・モノラル検出用プラグ端子１１１Ｃが相対するステレオ・モノラル検出用ジャック端子１１２Ｃと接続されてステレオ・モノラルの検出信号が授受されるようにする。伝送ケーブル１０５は、例えばオーディオＲチャンネル用プラグ端子１１１ＤとオーディオＬチャンネル用プラグ端子１１１Ｅが、相対するオーディオＲチャンネル用ジャック端子１１２ＤとオーディオＬチャンネル用ジャック端子１１２Ｅと接続されてオーディオ信号の授受が行われるようにする。
【０００８】
【特許文献１】特開２００５−６４７４２号公報
【発明の開示】
【発明が解決しようとする課題】
【０００９】
ところで、従来の伝送ケーブル１０５は、もっぱらオーディオ信号やデジタル信号の伝送用仕様に構成されることから、上述したようなＲＦ信号とオーディオ信号が混在して授受される携帯電話機１００とイヤホンアンテナ１０１或いはテレビジョン受像機１０６を接続して使用する形態ではコネクタ部位においてＲＦ信号の伝送ロスが生じて伝送特性を劣化させるといった問題がある。すなわち、伝送ケーブル１０５においては、図１５に示すように相対するプラグ端子１１１Ａ、１１１Ｊとジャック端子１１２Ａ、１１２Ｊを接続して多ピン構成のＲＦ信号を授受する多ピンコネクタ部を構成する。かかる多ピンコネクタ部は、図１６に示すようにこれらプラグ端子１１１Ａ、１１１Ｊとジャック端子１１２Ａ、１１２Ｊがそれぞれに有するインダクタＬｌ〜Ｌ４の等価回路を構成する。
【００１０】
伝送ケーブル１０５は、多ピンコネクタ部におけるインダクタ成分がＺ＝ｊ２πｆＬで表されることにより、このＲＦ信号伝送コネクタ部において伝送周波数があがるにしたがってインピーダンスが次第に高くなる。したがって、伝送ケーブル１０５においては、多ピンコネクタ部におけるＲＦ信号の伝送周波数の変化に伴う伝送特性が、図１７に示したシミュレーション結果から明らかなように同図実線で示すロスの無い理想的な伝送系に対して、同図破線で示すように高帯域化になるにしたがって次第に伝送ロスが大きくなる特性を示す。伝送ケーブル１０５においては、上述したように多ピンコネクタ部を構成して電子機器間において各種信号等を伝送するが、高周波信号の伝送に際して多ピンコネクタ部において伝送ロスを生じるといった問題があった。
【００１１】
一方、伝送ケーブル１０５は、電子機器間を接続して各種信号が授受されるようにするが、所定周波数の信号のみを伝送する帯域除去フィルタ（Band Elimination Filter）機能を搭載したものも提供されている。伝送ケーブル１０５は、例えば携帯電話機１００とテレビジョン受像機１０６を接続して使用する場合に、携帯電話機１００が出射する不要電波を帯域除去フィルタ機能によりカットしてテレビジョン受像機１０６側のチューナへの影響を排除する。
【００１２】
伝送ケーブル１０５においては、上述した帯域除去フィルタ機能を備える場合に、プラグ部１１０の基板にフィルタ素子を搭載していた。したがって、伝送ケーブル１０５においては、プラグ部１１０が大型となるとともに、コストもアップしてしまうといった問題があった。
【００１３】
なお、低周波信号と高周波信号を混在して伝送する伝送ケーブルとしては、上述した携帯電話機１００とイヤホンアンテナ１０１或いはテレビジョン受像機１０６を接続する伝送ケーブル１０５に限定されず、様々な電子機器間或いは電子機器内の信号伝送ケーブルとしても用いられる。かかる伝送ケーブルとしては、例えばヒンジ機構を介して折畳み自在とした２ピース型の携帯電話機において、ヒンジ機構内に挿通されて各ピース間でＲＦ信号を授受する。携帯電話機は、ヒンジ機構内にＲＦ信号の同軸ケーブル構造を採用することが困難でありフレキシブルケーブルを用いていることから、このフレキシブルケーブルのコネクタ部において伝送ロスが生じるといった問題があった。
【００１４】
したがって、本発明は、各種信号を授受する多ピンコネクタ部における高周波信号の伝送ロスを低減する接続構造を提供することを目的とする。また、本発明は、各種信号を授受する電子機器間において伝送ロスを低減して高周波信号の効率的な授受が行われるようにする信号伝送ケーブルを提供することを目的とする。
【課題を解決するための手段】
【００１５】
上述した目的を達成する本発明にかかる接続構造は、少なくとも３ピン以上のプラグ端子を有するプラグ体と、相対するプラグ端子とそれぞれ接続される少なくとも３ピン以上のジャック端子を有するジャック体とから構成され、各種信号の授受を行う多ピンコネクタ部を構成する。接続構造は、プラグ体側の少なくとも一対のプラグ端子を並列に容量接続して容量接続プラグ端子を構成するとともに、各プラグ端子と相対接続されるジャック体側の少なくとも一対のジャック端子を並列に容量接続して容量接続ジャック端子を構成する。
【００１６】
接続構造においては、多ピンコネクタ部がインダクタ成分の等価回路を構成することにより、高周波数帯域において次第にインピーダンスが高くなって伝送ロスが生じる。接続構造においては、複数のプラグ端子間及びジャック端子間をそれぞれ並列に容量接続して結合することにより多ピンコネクタ部におけるインダクタンスが低減され、伝送ロスを低減して高周波信号を効率的に授受することが可能である。接続構造においては、容量接続プラグ端子を構成する少なくとも一対のプラグ端子と容量接続ジャック端子を構成する少なくとも一対のジャック端子が接続されることによりインダクタンスが低減され、高周波信号の効率的な授受が行われるようにするとともに、高周波信号以外の信号について相対する各プラグ端子と各ジャック端子がそれぞれ単独の接続部を構成して授受が行われるようにする。
【００１７】
接続構造は、容量接続プラグ端子を高周波信号の給電線路用プラグ端子と他の機能の選択されたプラグ端子との少なくとも一対のプラグ端子を容量接続して構成するとともに、容量接続ジャック端子をこれらプラグ端子と相対接続される高周波信号の給電線路用ジャック端子と他の機能の選択されたジャック端子との少なくとも一対のジャック端子を容量接続して構成する。接続構造は、給電線路を構成するプラグ端子とジャック端子のインダクタンスを低減して高周波信号の効率的な授受が行われるようにする。
【００１８】
また、接続構造は、容量接続プラグ端子をグランド線路用のプラグ端子と他の機能の選択されたプラグ端子との少なくとも一対のプラグ端子を容量接続して構成するとともに、容量接続ジャック端子をこれらプラグ端子と相対接続されるグランド線路用のジャック端子と他の機能の選択されたジャック端子との少なくとも一対のジャック端子を容量接続して構成する。接続構造は、グランド線路を構成するプラグ端子とジャック端子のインダクタンスを低減してグランド線路を強化して、高周波信号の効率的な授受が行われるようにする。
【００１９】
接続構造は、少なくとも一対のプラグ端子間を並列に容量接続して容量接続プラグ端子を構成するプラグ側コンデンサと、少なくとも一対のジャック端子間を並列に容量接続して容量接続ジャック端子を構成するジャック側コンデンサが、当該各プラグ端子と各ジャック端子のインダクタンス成分とにより帯域除去フィルタを構成する。接続構造は、所定容量のコンデンサを用いることにより所定の周波数帯域を選択する帯域除去フィルタを構成し、端子端における特性劣化の改善とともに実装部品の削減が図られるようにする。
【００２０】
上述した目的を達成する本発明にかかる信号伝送ケーブルは、少なくとも３ピン以上のプラグ端子を有するプラグ部と、電子機器の接続部と接続されることにより高周波信号を含む信号を入出力する高周波コネクタ部と、これらプラグ部と高周波コネクタ部とを接続するケーブル部とから構成され、プラグ部が、各プラグ端子と相対する少なくとも３ピン以上のジャック端子を有するとともに少なくとも一対のジャック端子が並列に容量接続されて容量接続ジャック端子を構成した電子機器に設けられたジャック体に結合されて信号の授受を行う多ピンコネクタ部を構成する。信号伝送ケーブルは、プラグ部に、ジャック体側の容量接続ジャック端子を構成する各ジャック端子と相対する少なくとも一対のプラグ端子を並列に容量接続することにより容量接続プラグ端子が構成される。
【００２１】
信号伝送ケーブルにおいては、高周波コネクタ部を第１の電子機器と接続するとともにプラグ部を第２の電子機器と接続して高周波信号を含む各種信号の授受を行う。信号伝送ケーブルは、プラグ部を電子機器のジャック体に結合することにより、容量接続プラグ端子を構成する少なくとも一対のプラグ端子と容量接続ジャック端子を構成する少なくとも一対のジャック端子が接続されて、接続部位におけるインダクタンスが低減されるようになる。信号伝送ケーブルは、伝送ロスを低減して電子機器間において高周波信号の効率的な授受が行われるようにする。信号伝送ケーブルは、高周波信号以外の信号について、相対する各プラグ端子と各ジャック端子がそれぞれ単独の接続部を構成して電子機器間において授受が行われるようにする。
【００２２】
信号伝送ケーブルは、プラグ部の容量接続プラグ端子を構成するプラグ側コンデンサが、電子機器のジャック体の容量接続ジャック端子を構成するジャック側コンデンサとともに所定容量のコンデンサを用いることにより、プラグ部をジャック体に結合した状態で所定の周波数帯域を選択する帯域除去フィルタを構成する。したがって、信号伝送ケーブルは、ジャック体とともに端子端における特性劣化を改善しかつ実装部品の削減が図られるようにする。
【発明の効果】
【００２３】
本発明によれば、相対接続される各端子のインダクタ成分が等価回路を構成することで高周波数帯域においてインピーダンスが高くなる高周波信号を含む各種信号を授受する多ピンコネクタ部において、少なくとも一対のプラグ端子を並列に容量接続して容量接続プラグ端子を構成するとともに、各プラグ端子と相対接続される少なくとも一対のジャック端子を並列に容量接続して容量接続ジャック端子を構成することにより、インダクタンスが低減されて高周波信号の効率的な授受を行うとともに、高周波信号以外の信号も相対する各プラグ端子と各ジャック端子を介して授受が行われる。本発明によれば、簡易な構成により高周波信号用の接続部を独立に構成することなく多ピンコネクタ部を構成することが可能であり、また所定の周波数帯域を選択する帯域除去フィルタを構成することも可能である。
【発明を実施するための最良の形態】
【００２４】
以下、本発明の実施の形態について、図面を参照して詳細に説明する。実施の形態として示す信号伝送ケーブル装置（以下、伝送ケーブルと略称する）１は、各種電子機器間を接続して高周波信号を含む各種信号を効率よく授受する。伝送ケーブル１は、例えば図１に示すようにイヤホンアンテナ１０１とともに屋外アンテナや室内アンテナ等の各種アンテナ１５を接続するアンテナコンセント１６と携帯電話機５とを接続し、テレビジョン放送番組を受信して携帯電話機５により良好な状態で視聴可能とする。伝送ケーブル１は、上述した従来の伝送ケーブル１０５と同様に、携帯電話機５とテレビジョン受像機やパーソナルコンピュータ等を接続して各種信号を授受することも可能である。
【００２５】
伝送ケーブル１は、基本的な構成を上述した従来の伝送ケーブル１０５と同様とし、図２に示すように多芯ケーブル２と、この多芯ケーブル２の一端側に設けられてアンテナコンセント１６に着脱される高周波コネクタ部３と、多芯ケーブル２の他端側に設けられて携帯電話機５の入出力端子部６に着脱されるプラグ部４とにより構成される例えば１０ピン構成の多芯ケーブル体からなる。
【００２６】
伝送ケーブル１も、図示を省略するがプラグ部４が、基板７に多芯ケーブル２の各芯線と接続される１０ピン構成のプラグ端子８Ａ〜８Ｊ（以下、個別に説明する場合を除いてプラグ端子８と総称する。）がパターン形成され、これらプラグ端子８を露出させた状態で基板７を絶縁ケース内に収納する。伝送ケーブル１は、各プラグ端子８がそれぞれ所定の機能を以って携帯電話機５側の相対するジャック端子９Ａ〜９Ｊ（以下、個別に説明する場合を除いてジャック端子９と総称する。）とそれぞれ接続する。
【００２７】
伝送ケーブル１は、各プラグ端子８が例えば図３に示す機能を付与して用いられる。各プラグ端子８は、第１プラグ端子８Ａが高周波信号給電機能のアンテナ用プラグ端子、第３プラグ端子８Ｃがステレオ・モノラル検出信号が流れるステレオ・モノラル検出信号用プラグ端子、第４プラグ端子８ＤがオーディオＲチャンネル信号が流れるオーディオＲチャンネル用プラグ端子、第５プラグ端子８ＥがオーディオＬチャンネル信号が流れるオーディオＬチャンネル用プラグ端子、第６プラグ端子８Ｆが接続検出信号が流れる接続検出用プラグ端子、第１０プラグ端子８ＪがグランドＧと接続されるグランド用端子として機能する。伝送ケーブル１は、上述した使用形態で、他のプラグ端子８Ｂ、８Ｇ、８Ｈ、８Ｉがそれぞれ開放端子とされる。
【００２８】
一方、携帯電話機５においても、伝送ケーブル１を接続して用いる場合に、入出力端子部６の各ジャック端子９に上述した各プラグ端子８に対応する機能がそれぞれ付与されて相対接続される。各ジャック端子９は、第１プラグ端子８Ａに対応する第１ジャック端子９Ａがアンテナ用ジャック端子、第３プラグ端子８Ｃに対応する第３ジャック端子９Ｃがステレオ・モノラル検出用プラグ端子、第４プラグ端子８Ｄに対応する第４ジャック端子９ＤがオーディオＲチャンネル用プラグ端子、第５プラグ端子８Ｅに対応する第５ジャック端子９ＥがオーディオＬチャンネル用プラグ端子、第６プラグ端子８Ｆに対応する第６ジャック端子９Ｆが接続検出用プラグ端子、第１０プラグ端子８Ｊに対応する第１０ジャック端子９ＪがグランドＧと接続されるグランド端子として機能する。各ジャック端子９は、他のジャック端子９Ｂ、９Ｇ、９Ｈ、９Ｉが開放端子とされる。
【００２９】
伝送ケーブル１においては、上述したようにプラグ部４を携帯電話機５側の入出力端子部６に接続することにより、これらプラグ部４と入出力端子部６とが相対接続されるプラグ端子８とジャック端子９との間において高周波信号（ＲＦ信号）と低周波信号（オーディオ信号）或いは各種検出信号等を授受する多ピンコネクタ部１０を構成する。
【００３０】
多ピンコネクタ部１０は、上述したようにプラグ端子８とジャック端子のインダクタ成分が等価回路を構成し、ＲＦ信号の伝送系でＺ＝ｊ２πｆＬのインダクタ成分となって高帯域化にしたがってインピーダンスが次第に高くなり伝送ロスを生じさせる。多ピンコネクタ部１０においては、後述するように容量接続プラグ端子と容量接続ジャック端子を構成することにより、オーディオ信号や検出信号の授受に影響を及ぼすことなくプラグ端子８とジャック端子のインダクタンスを低減して伝送特性の改善を図るとともに、グランド線路を強化してＲＦ信号を効率的に伝送する。
【００３１】
すなわち、多ピンコネクタ部１０は、図１及び図４に示すように伝送ケーブル１側のプラグ部４において、ＲＦ信号給電用のアンテナ用プラグ端子を構成する第１プラグ端子８Ａとステレオ・モノラル検出用プラグ端子を構成する第３プラグ端子８Ｃを第１コンデンサ１１を介して並列に容量接続することにより容量接続プラグ端子を構成する。また、多ピンコネクタ部１０は、携帯電話機５側の入出力端子部６においも、ＲＦ信号給電用のアンテナ用ジャック端子を構成する第１ジャック端子９Ａとステレオ・モノラル検出用ジャック端子を構成する第３ジャック端子９Ｃとが第２コンデンサ１２を介して並列に容量接続することにより容量接続ジャック端子を構成する。なお、多ピンコネクタ部１０は、第１コンデンサ１１や第２コンデンサ１２に、例えば１０ｐＦ〜１００００ｐＦのコンデンサが用いられる。
【００３２】
したがって、多ピンコネクタ部１０においては、伝送ケーブル１のプラグ部４と携帯電話機５の入出力端子部６が、相対する第１プラグ端子８Ａと第３プラグ端子８Ｃを並列に容量接続した容量接続プラグ端子と第１ジャック端子９Ａと第３ジャック端子９Ｃを並列に容量接続した容量接続ジャック端子をそれぞれ接続してＲＦ信号伝送路を構成することで、プラグ端子とジャック端子のインダクタンスを１／２に低減してＲＦ信号を授受することになる。多ピンコネクタ部１０においては、相対接続された第３プラグ端子８Ｃと第３ジャック端子９Ｃ間を流れるＤＣ信号であるステレオ・モノラル検出用信号が第１コンデンサ１１及び第２コンデンサ１２により第１プラグ端子８Ａや第１ジャック端子９Ａに対してカットされる。したがって、多ピンコネクタ部１０においては、ステレオ・モノラル検出用信号の伝送系に影響が生じることは無い。
【００３３】
多ピンコネクタ部１０においては、上述したように伝送ケーブル１側の容量接続プラグ端子８Ａ、８Ｃと携帯電話機５側の容量接続ジャック端子９Ａ、８Ｃによりインダクタンスが低減されたＲＦ信号伝送路を構成することにより、伝送ロスを低減してＲＦ信号の効率的な授受が行われるようになる。なお、多ピンコネクタ部１０においては、第１プラグ端子８Ａや第１ジャック端子９Ａに対してＲＦ信号伝送系を構成しないプラグ端子８Ｃやジャック端子９Ｃを選択して容量接続を行うようにしたが、かかる構成に限定されないことは勿論である。多ピンコネクタ部１０は、ＲＦ信号伝送系を構成しないさらに複数のプラグ端子８やジャック端子９をそれぞれ選択して互いに並列に容量接続を行うようにしてもよい。
【００３４】
多ピンコネクタ部１０においては、上述したプラグ端子８とジャック端子９のインダクタンス低減とともに、グランド線路の強化を図ってさらにＲＦ信号が効率的に授受されるように構成される。多ピンコネクタ部１０においては、図１及び図４に示すように伝送ケーブル１側のプラグ部４において、ＲＦ信号用のグランドプラグ端子を構成する第１０プラグ端子８Ｊと携帯電話機５との接続を検出する接続検出用プラグ端子を構成する第６プラグ端子８Ｆを第３コンデンサ１３を介して並列に容量接続することにより容量接続グランドプラグ端子を構成する。また、多ピンコネクタ部１０は、携帯電話機５側の入出力端子部６においも、ＲＦ信号用のグランド用プラグ端子を構成する第１０ジャック端子９Ｊと携帯電話機５との接続を検出する接続検出用ジャック端子を構成する第６ジャック端子９Ｆを第４コンデンサ１４を介して並列に容量接続することにより容量接続グランドジャック端子を構成する。なお、多ピンコネクタ部１０は、第３コンデンサ１３や第４コンデンサ１４にも、例えば１０ｐＦ〜１００００ｐＦのコンデンサが用いられる。
【００３５】
したがって、多ピンコネクタ部１０においては、伝送ケーブル１のプラグ部４と携帯電話機５の入出力端子部６が、相対する第１０プラグ端子８Ｊと第６プラグ端子８Ｆを並列に容量接続した容量接続グランドプラグ端子と第１０ジャック端子９Ｊと第６ジャック端子９Ｆを並列に容量接続した容量接続グランドジャック端子をそれぞれ接続してＲＦ信号伝送路を構成することで、グランドプラグ端子とグランドジャック端子のインダクタンスを１／２に低減してＲＦ信号を授受することになり、グランド線路の強化が図られてＲＦ信号が効率的に授受されるようになる。
【００３６】
多ピンコネクタ部１０においては、相対接続された第６プラグ端子８Ｆと第６ジャック端子９Ｆ間を流れるＤＣ信号である接続検出用信号が、第３コンデンサ１３及び第４コンデンサ１４により第１０プラグ端子８Ｊや第１０ジャック端子９Ｊに対してカットされてグランドＧに落ちることは無い。したがって、多ピンコネクタ部１０においては、接続検出用信号の伝送系に影響が生じることは無い。なお、多ピンコネクタ部１０においては、グランド用の第１０プラグ端子８Ｊや第１０ジャック端子９Ｊに対してＲＦ信号伝送系を構成しない第６プラグ端子８Ｆ７第６ジャック端子９Ｆを選択して容量接続を行うようにしたが、かかる構成に限定されないことは勿論である。多ピンコネクタ部１０は、ＲＦ信号伝送系を構成しないさらに複数のプラグ端子８やジャック端子９をそれぞれ選択して互いに並列に容量接続して容量接続グランドプラグ端子や容量接続グランドジャック端子を構成するようにしてもよい。
【００３７】
多ピンコネクタ部１０においても、図４に示すようにプラグ部４の各プラグ端子８と入出力端子部６の各ジャック端子９を相対接続することにより、各プラグ端子８と各ジャック端子９のインダクタ成分Ｌの等価回路を構成する。多ピンコネクタ部１０は、各プラグ端子８と各ジャック端子９間のインダクタンスＬがそれぞれ１５ｎＨ、第１コンデンサ１１〜第４コンデンサ１４の容量がそれぞれ１０００ｐＦとした場合に、ＲＦ信号の伝送周波数の変化に伴う伝送特性の変化（伝送ロス）として図５に実線で示したシミュレーション結果を得る。多ピンコネクタ部１０は、同図破線で示す従来の伝送ケーブル１０５の伝送特性の変化との比較で、地上波デジタルテレビジョン放送の使用周波数帯域（４７０ＭＨｚ〜６９０ＭＨｚ）で約３ｄＢの効率化が図られる。
【００３８】
多ピンコネクタ部１０は、上述したように第１コンデンサ１１〜第４コンデンサ１４を用いて容量接続プラグ端子と容量接続ジャック端子及び容量接続グランドプラグ端子と容量接続グランドジャック端子とを構成する。多ピンコネクタ部１０は、プラグ部４の基板７や入出力端子部６の基板上に形成した接続パターンを介して各プラグ端子８や各ジャック端子９に対して第１コンデンサ１１〜第４コンデンサ１４を接続する。また、多ピンコネクタ部１０は、プラグ部４や入出力端子部６に対して第１コンデンサ１１〜第４コンデンサ１４をチップ部品として搭載摺ることも可能である。多ピンコネクタ部１０は、第１コンデンサ１１〜第４コンデンサ１４を用いるが、プラグ部４や入出力端子部６がさほど大型化したりコストアップするといったことも無い。
【００３９】
図６に示した第２の実施の形態も、上述した伝送ケーブル１と基本的な構成を同様とする伝送ケーブル２０を用いて、上述した携帯電話機５と基本的な構成を同様とする携帯電話機２０とアンテナ１５を接続した適用例である。第２の実施の形態においても、多ピンコネクタ部２２を構成する各プラグ端子８と各ジャック端子９のインダクタンス低減とともに、グランド線路の強化を図ってＲＦ信号を効率的に授受するように構成したものであり、上述した第１の実施の形態と対応する部位には同一符号を付すことにより説明を省略する。
【００４０】
第２の実施の形態として示す多ピンコネクタ部２２においては、伝送ケーブル２０側において同図に示すようにＲＦ信号給電用の第１プラグ端子８Ａに対して第５コンデンサ２３を介して開放端子である第２プラグ端子８Ｂが並列に容量接続されることにより容量接続プラグ端子を構成する。多ピンコネクタ部２２においては、携帯電話機２１側においてもＲＦ信号給電用の第１プラグ端子８Ａに相対接続される第１ジャック端子９Ａに対して第２プラグ端子９Ｂに相対接続される開放端子である第２ジャック端子９Ｂが第６コンデンサ２４を介して並列に容量接続されることにより容量接続ジャック端子を構成する。
【００４１】
多ピンコネクタ部２２においては、上述したように伝送ケーブル２０側のプラグ部４を携帯電話機２１側の入出力端子部６に接続することにより、相対する容量接続プラグ端子と容量接続ジャック端子が接続されてＲＦ信号給電線路を構成するプラグ端子８とジャック端子９間のインダクタンスが低減される。多ピンコネクタ部２２においては、携帯電話機２１において他の機器等と接続する際に開放端子である第２ジャック端子９Ｂに所定の機能が付与されても、第６コンデンサ２４により第１ジャック端子９Ａに対して当該第２ジャック端子９Ｂを流れる信号がカットされるようにする。
【００４２】
一方、多ピンコネクタ部２２においては、伝送ケーブル２０側において第１０プラグ端子８Ｊに対して第７コンデンサ２５を介してステレオ・モノラル検出用の第３プラグ端子８Ｃが並列に容量接続されることにより容量接続グランドプラグ端子を構成する。多ピンコネクタ部２２においては、携帯電話機２１側においても第１０プラグ端子８Ｊに相対接続される第１０ジャック端子９Ｊに対して、第６コンデンサ２４を介して第３プラグ端子８Ｃに相対接続されるステレオ・モノラル検出用の第３ジャック端子９Ｃが並列に容量接続されることにより容量接続グランドジャック端子を構成する。
【００４３】
多ピンコネクタ部２２においては、上述したように伝送ケーブル２０側のプラグ部４を携帯電話機２１側の入出力端子部６に接続することにより、相対する容量接続グランドプラグ端子と容量接続グランドジャック端子が接続されてＲＦ信号グランド線路を構成するプラグ端子８とジャック端子９間のインダクタンスを低減してＲＦ信号伝送路におけるグランド線路の強化が図られるようにする。多ピンコネクタ部２２においては、ステレオ・モノラル検出用の第３プラグ端子８Ｃと第３ジャック端子９Ｃの間に流れるＤＣ信号であるステレオ・モノラル検出信号が第７コンデンサ２５や第８コンデンサ２６によりカットされてグランドＧに落ちることは無い。
【００４４】
本発明は、上述した各実施の形態に限定されず、例えば図７に第３の実施の形態として示したＲＦ信号給電線路側をのみを強化した多ピンコネクタ部３０にも展開され、伝送ロスを低減してＲＦ信号の効率的な伝送が行われる。多ピンコネクタ部３０は、伝送ケーブル２０側においてＲＦ信号給電用の第１プラグ端子８Ａに対して第９コンデンサ３１を介して開放端子の第２プラグ端子８Ｂが並列に容量接続されることにより容量接続プラグ端子を構成する。多ピンコネクタ部３０においては、携帯電話機２１側においてもＲＦ信号給電用の第１プラグ端子８Ａに相対接続される第１ジャック端子９Ａに対して、第１０コンデンサ３２を介して第２プラグ端子８Ｂに相対接続される開放端子の第２ジャック端子９Ｂが並列に容量接続されることにより容量接続グランドジャック端子を構成する。
【００４５】
図８に第４の実施の形態として示した多ピンコネクタ部３５は、ＲＦ信号伝送系のグランド線路のみを強化して、伝送ロスを低減してＲＦ信号の効率的な伝送を行う。多ピンコネクタ部３５は、伝送ケーブル２０側においてグランド用の第１０プラグ端子８Ｊに対して第１１コンデンサ３６を介してステレオ・モノラル検出用の第３プラグ端子８Ｃが並列に容量接続されることにより容量接続グランドプラグ端子を構成する。多ピンコネクタ部３５は、携帯電話機２１側において第１０プラグ端子８Ｊに相対接続されるグランド用の第１０ジャック端子９Ｊに対して、第１２コンデンサ３７を介して第３プラグ端子８Ｃに相対接続されるステレオ・モノラル検出用の第３ジャック端子９Ｃが並列に容量接続されることにより容量接続グランドジャック端子を構成する。なお、多ピンコネクタ部３５においても、相対接続された第３プラグ端子８Ｃと第３ジャック端子９Ｃ間を流れるＤＣ信号であるステレオ・モノラル検出用信号が第１１コンデンサ３６及び第１２コンデンサ３７により第１０プラグ端子８Ｊや第１０ジャック端子９Ｊに対してカットされることでステレオ・モノラル検出用信号の伝送系に影響が生じることは無い。
【００４６】
図９及び図１０は、上述した第２の実施の形態として示したＲＦ信号給電線路とグランド線路の強化を図った多ピンコネクタ部２２と、第４の実施の形態として示したグランド線路の強化を図った多ピンコネクタ部３５と、従来の伝送ケーブル１０５の多ピンコネクタ部におけるＲＦ信号の伝送ロスを評価した結果を示した図である。ＲＦ信号の伝送ロス評価は、多ピンコネクタ部２２や多ピンコネクタ部３５にそれぞれ容量が１０００ｐＦのコンデンサを接続し、高周波コネクタ部側から各周波数帯域の信号入力を行い、プラグ部からの出力信号のレベルを計測した。
【００４７】
図９において、Ａ線は、従来の伝送ケーブル１０５の多ピンコネクタ部におけるＲＦ信号の伝送ロスを評価した結果である。Ｂ線は、グランドのみを強化した多ピンコネクタ部３５におけるＲＦ信号の伝送ロスを評価した結果である。Ｃ線は、ＲＦ信号給電線路とグランド線路を強化した多ピンコネクタ部２２におけるＲＦ信号の伝送ロスを評価した結果である。
【００４８】
従来の伝送ケーブル１０５及び多ピンコネクタ部２２と多ピンコネクタ部３５は、図９及び図１０から明らかなように、それぞれ上述したようにＺ＝ｊ２πｆＬで表される相対接続される各プラグ端子と各ジャック端子のインダクタ成分により、周波数帯域があがるにしたがって伝送ロスも大きくなる特性を有している。多ピンコネクタ部２２や多ピンコネクタ部３５は、上述した構成により各プラグ端子と各ジャック端子のインダクタンス成分の減少が図られることにより、従来の伝送ケーブル１０５と比較していずれの周波数帯域においても伝送ロスの低減が図られている。多ピンコネクタ部２２は、ＲＦ信号給電線路とグランド線路を強化したことにより、グランドのみを強化した多ピンコネクタ部３５と比較してＲＦ信号給電線路とグランド線路の強化が図られることにより、伝送ロスの低減が大きい。
【００４９】
図１１に第５の実施の形態として示した多ピンコネクタ部４０は、各プラグ端子８と各ジャック端子９のインダクタ成分と、容量接続グランドプラグ端子と容量接続グランドジャック端子を構成する所定容量のコンデンサとを組み合わせて、帯域除去フィルタ機能を構成する。多ピンコネクタ部４０は、伝送ケーブル２０側においてグランド用の第１０プラグ端子８Ｊに対して第１３コンデンサ４１を介してステレオ・モノラル検出用の第３プラグ端子８Ｃが並列に容量接続されるとともに、開放端子である第８プラグ端子８Ｈが並列に接続される。多ピンコネクタ部４０においては、伝送ケーブル２０側において、かかる容量接続グランドプラグ端子構造によりＲＦ信号のグランド線路を構成することによりグランドプラグ端子のインダクタンス成分が１／３に低減される。
【００５０】
多ピンコネクタ部４０は、携帯電話機２１側において第１０プラグ端子８Ｊに相対接続されるグランド用の第１０ジャック端子９Ｊに対して、第１４コンデンサ４２を介して第３プラグ端子８Ｃに相対接続されるステレオ・モノラル検出用の第３ジャック端子９Ｃが並列に容量接続されるとともに、第１５コンデンサ４３を介して第８プラグ端子８Ｈに相対接続される開放端子である第８ジャック端子９Ｈが並列に容量接続される。多ピンコネクタ部４０においては、携帯電話機２１側においてもかかる容量接続グランドジャック端子構造によりＲＦ信号のグランド線路を構成することにより、グランドジャック端子のインダクタンス成分が１／３に低減される。
【００５１】
多ピンコネクタ部４０においては、伝送ケーブル２０側の第１３コンデンサ４１に容量が１０００ｐＦのコンデンサが用いられるとともに、携帯電話機２１側の第１４コンデンサ４２に容量が１０ｐＦのコンデンサと第１５コンデンサ４３に容量が２７ｐＦのコンデンサを用いる。多ピンコネクタ部４０は、プラグ部４を入出力端子部６に接続することにより、図１２に示すように約１５０ＭＨｚ帯域と４５０ＭＨｚ帯域の周波数信号を選択して通過させない帯域除去フィルタ機能を奏する。
【００５２】
多ピンコネクタ部４０においては、これにより帯域フィルタ素子を不要としてＦＭラジオ帯域からＵＨＦ帯域（５０ＭＨｚ〜１ＧＨｚ）信号の通過特性の向上を図るとともに、小型化と低コスト化が図られるようになる。なお、多ピンコネクタ部４０においては、上述した帯域除去フィルタ機能による周波数の選択条件を適宜設定することにより、例えばテレビジョン番組放送を受信するアンテナ側やテレビジョン受像機１０６に対して携帯電話機２１側から記録情報を伝送する場合等において、上述した当該携帯電話機２１から出射される不要電波が除去されるようにする。
【００５３】
なお、本発明は、上述した携帯電話機と各種アンテナとを伝送ケーブルにより接続する適用例に限定されないことは勿論であり、上述したように例えば携帯電話機とテレビジョン受像機とを伝送ケーブルにより接続する場合等、多ピンコネクタ部を介して低周波信号と高周波信号が混在して伝送される各種電子機器間の接続等に適用される。
【図面の簡単な説明】
【００５４】
【図１】本発明の第１の実施の形態として示す伝送ケーブルにより携帯電話機とアンテナとを接続した適用例の構成図である。
【図２】伝送ケーブルの一部省略正面図である。
【図３】伝送ケーブルのプラグ部に設けられるプラグ端子と携帯電話機の入出力端子部に設けられるジャック端子の機能図である。
【図４】多ピンコネクタ部に構成される等価回路の説明図である。
【図５】多ピンコネクタ部におけるＲＦ信号の伝送周波数の変化に伴う伝送特性変化のシミュレーション結果を示す図である。
【図６】本発明の第２の実施の形態として示す伝送ケーブルにより携帯電話機とアンテナとを接続した適用例の構成図である。
【図７】本発明の第３の実施の形態として示す伝送ケーブルにより携帯電話機とアンテナとを接続した適用例の構成図である。
【図８】本発明の第４の実施の形態として示す伝送ケーブルにより携帯電話機とアンテナとを接続した適用例の構成図である。
【図９】各多ピンコネクタ部の特性評価図である。
【図１０】同特性評価の一覧図である。
【図１１】本発明の第５の実施の形態として示す伝送ケーブルにより携帯電話機とアンテナとを接続した適用例の構成図である。
【図１２】同多ピンコネクタ部の帯域除去フィルタ特性図である。
【図１３】携帯電話機にイヤホンアンテナを接続した使用状態の説明図である。
【図１４】携帯電話機とテレビジョン受像機を接続した使用状態の説明図である。
【図１５】携帯電話機に従来の伝送ケーブルを接続して構成される多ピンコネクタ部の構成図である。
【図１６】同多ピンコネクタ部に構成される等価回路の説明図である。
【図１７】同多ピンコネクタ部における伝送特性図である。
【符号の説明】
【００５５】
１  伝送ケーブル、２  多芯ケーブル、３  高周波コネクタ部、４  プラグ部、５  携帯電話機、６  入出力端子部、７  基板、８  プラグ端子、９  ジャック端子、１０  多ピンコネクタ部、１１〜１４  コンデンサ、１５  アンテナ、１６  アンテナコンセント、２０  伝送ケーブル、２１  携帯電話機、２２  多ピンコネクタ部、２３〜２６  コンデンサ、３０  多ピンコネクタ部、３１，３２  コンデンサ、３５  多ピンコネクタ部、３６，３７  コンデンサ、４０  多ピンコネクタ部、４１〜４３  コンデンサ
【図１】
2008204911.tif 000003
【図２】
2008204911.tif 000004
【図３】
2008204911.tif 000005
【図４】
2008204911.tif 000006
【図５】
2008204911.tif 000007
【図６】
2008204911.tif 000008
【図７】
2008204911.tif 000009
【図８】
2008204911.tif 000010
【図９】
2008204911.tif 000011
【図１０】
2008204911.tif 000012
【図１１】
2008204911.tif 000013
【図１２】
2008204911.tif 000014
【図１３】
2008204911.tif 000015
【図１４】
2008204911.tif 000016
【図１５】
2008204911.tif 000017
【図１６】
2008204911.tif 000018
【図１７】
2008204911.tif 000019
【手続補正書】
【提出日】平成20年7月3日(2008.7.3)
【手続補正１】
【補正対象書類名】明細書
【補正対象項目名】全文
【補正方法】変更
【補正の内容】
【発明の詳細な説明】
【技術分野】
【０００１】
本発明は、電子機器間等において多ピンコネクタ部を構成して各種信号や直流電圧等の授受を行う接続構造及び電子機器間を接続して各種信号や直流電圧等を授受する信号伝送ケーブルに関する。
【背景技術】
【０００２】
各種の携帯型情報端末機器は、小型・軽量化とともに多機能化が図られており、高周波信号とともに音声信号やオーディオ信号等の低周波信号を同時に処理する機能が搭載されるようになっている。例えば、携帯電話機は、通話機能とともにカメラ機能や各種の情報端末機能等が標準搭載されて単なる通話手段から総合携帯端末装置として位置付けられるようになっている。また、携帯電話機は、携帯端末向け地上波デジタルテレビジョン放送の開始に伴い、チューナ機能を内蔵してテレビジョン放送の受信端末機としての機能も搭載されるようになっている。携帯電話機は、例えばハードディスク等の高容量記憶手段を内蔵し、テレビジョン受像機を介してテレビジョン放送の番組を記憶して必要時に再生して視聴することも可能な機能を有するものも提供されている。
【０００３】
携帯電話機１００においては、テレビジョン放送の受信端末機能を備える場合に、通信用の内蔵アンテナに代えて例えば図１３に示すような放送電波を良好に受信するための広帯域型の外付けアンテナとしてイヤホンアンテナ１０１を用いることが提案されている。イヤホンアンテナ１０１は、それぞれイヤホン１０２Ｒ、１０２Ｌを設けたイヤホンコード１０３Ｒ、１０３Ｌをアンテナ素子とし、信号伝送ケーブル（以下、伝送ケーブルと称する）１０５を介して携帯電話機１００の入出力端子部１０４に着脱される。携帯電話機１００は、伝送ケーブル１０５を介してイヤホンアンテナ１０１と接続することにより、音声信号やオーディオ信号を送受信するとともにテレビジョン放送電波（ＲＦ信号）を受信する。
【０００４】
携帯電話機１００は、伝送ケーブル１０５を用いてイヤホンアンテナ１０１と接続し、このイヤホンアンテナ１０１との間で音声信号とともにＲＦ信号の授受を行う。なお、携帯電話機１００は、例えば特許文献１に開示されるように、伝送ケーブル１０５としてＲＦ信号の伝送特性に優れた専用の同軸ケーブル型の伝送ケーブルを用いることも可能である。かかる同軸ケーブル型伝送ケーブルは、比較的高価であり同軸ケーブルが太径で引き回しに不便であるとともに、他の機能との互換性も無い。
【０００５】
一方、携帯電話機１００は、内蔵メモリにテレビジョン放送の番組を録画する機能を備える場合に、テレビジョン受像機１０６に記憶した放送番組を内蔵メモリに取り込む機能も備える。また、携帯電話機１００は、内蔵メモリに記憶した放送番組をテレビジョン受像機１０６に出力して大画面で視聴することも可能である。携帯電話機１００は、入出力端子部１０４に接続した伝送ケーブル１０５を図１４に示すように外部入出力端子部１０７に接続してテレビジョン受像機１０６に接続される。携帯電話機１００は、伝送ケーブル１０５を介してテレビジョン受像機１０６との間で画像信号やオーディオ信号等の授受を行う。携帯電話機１００は、テレビジョン受像機１０６から取り込んだ放送番組を内部に記憶して、適宜再生して視聴する。
【０００６】
ところで、伝送ケーブル１０５は、図１５に示すように多芯ケーブル１０８と、この多芯ケーブル１０８の一端側に設けられて携帯電話機１００の入出力端子部１０４やテレビジョン受像機１０６の外部入出力端子部１０７と着脱される高周波コネクタ部１０９と、多芯ケーブル１０８の他端側に設けられて携帯電話機１００の入出力端子部１０４に着脱されるプラグ部１１０とから構成される。伝送ケーブル１０５は、プラグ部１１０が、例えば１０ピン構成のプラグ端子１１１Ａ〜１１１Ｊ（以下、個別に説明する場合を除いてプラグ端子１１１と総称する。）を有し、多ピンコネクタ部を構成して携帯電話機１００側の入出力端子部１０４に相対して設けられたジャック端子１１２Ａ〜１１２Ｊ（以下、個別に説明する場合を除いてジャック端子と総称する。）とそれぞれ接続される。なお、伝送ケーブル１０５は、例えば各プラグ端子１１１を基板に形成した端子パターンにより構成するが、ピン端子等の適宜の端子構造によっても構成される。
【０００７】
伝送ケーブル１０５は、各プラグ端子１１１がそれぞれ所定の機能を以って携帯電話機１００側の相対するジャック端子１１２とそれぞれ接続される。伝送ケーブル１０５は、例えばアンテナ給電用プラグ端子１１１Ａとグランド用プラグ端子１１１Ｊが相対するアンテナ給電用ジャック端子１１２Ａとグランド用ジャック端子１１２Ｊと接続され、携帯電話機１００とイヤホンアンテナ１０１間でＲＦ信号（高周波信号）が授受されるようにする。伝送ケーブル１０５は、例えばステレオ・モノラル検出用プラグ端子１１１Ｃが相対するステレオ・モノラル検出用ジャック端子１１２Ｃと接続されてステレオ・モノラルの検出信号が授受されるようにする。伝送ケーブル１０５は、例えばオーディオＲチャンネル用プラグ端子１１１ＤとオーディオＬチャンネル用プラグ端子１１１Ｅが、相対するオーディオＲチャンネル用ジャック端子１１２ＤとオーディオＬチャンネル用ジャック端子１１２Ｅと接続されてオーディオ信号の授受が行われるようにする。
【０００８】
【特許文献１】特開２００５−６４７４２号公報
【発明の開示】
【発明が解決しようとする課題】
【０００９】
ところで、従来の伝送ケーブル１０５は、もっぱらオーディオ信号やデジタル信号の伝送用仕様に構成されることから、上述したようなＲＦ信号とオーディオ信号が混在して授受される携帯電話機１００とイヤホンアンテナ１０１或いはテレビジョン受像機１０６を接続して使用する形態ではコネクタ部位においてＲＦ信号の伝送ロスが生じて伝送特性を低下させるといった問題がある。すなわち、伝送ケーブル１０５においては、図１５に示すように相対するプラグ端子１１１Ａ、１１１Ｊとジャック端子１１２Ａ、１１２Ｊを接続して多ピン構成のＲＦ信号を授受する多ピンコネクタ部を構成する。かかる多ピンコネクタ部は、図１６に示すようにこれらプラグ端子１１１Ａ、１１１Ｊとジャック端子１１２Ａ、１１２Ｊがそれぞれに有するインダクタＬｌ〜Ｌ４の等価回路を構成する。
【００１０】
伝送ケーブル１０５は、多ピンコネクタ部におけるインダクタ成分がＺ＝ｊ２πｆＬで表されることにより、このＲＦ信号伝送コネクタ部において伝送周波数があがるにしたがってインピーダンスが次第に高くなる。したがって、伝送ケーブル１０５においては、多ピンコネクタ部におけるＲＦ信号の伝送周波数の変化に伴う伝送特性が、図１７に示したシミュレーション結果から明らかなように同図実線で示すロスの無い理想的な伝送系に対して、同図破線で示すように高帯域化になるにしたがって次第に伝送ロスが大きくなる特性を示す。伝送ケーブル１０５においては、上述したように多ピンコネクタ部を構成して電子機器間において各種信号等を伝送するが、高周波信号の伝送に際して多ピンコネクタ部において伝送ロスを生じるといった問題があった。
【００１１】
一方、伝送ケーブル１０５は、電子機器間を接続して各種信号が授受されるようにするが、所定周波数の信号のみを伝送する帯域除去フィルタ（Band Elimination Filter）機能を搭載したものも提供されている。伝送ケーブル１０５は、例えば携帯電話機１００とテレビジョン受像機１０６を接続して使用する場合に、携帯電話機１００が出射する不要電波を帯域除去フィルタ機能によりカットしてテレビジョン受像機１０６側のチューナへの影響を排除する。
【００１２】
伝送ケーブル１０５においては、上述した帯域除去フィルタ機能を備える場合に、プラグ部１１０の基板にフィルタ素子を搭載していた。したがって、伝送ケーブル１０５においては、プラグ部１１０が大型となるとともに、コストもアップしてしまうといった問題があった。
【００１３】
なお、低周波信号と高周波信号を混在して伝送する伝送ケーブルとしては、上述した携帯電話機１００とイヤホンアンテナ１０１或いはテレビジョン受像機１０６を接続する伝送ケーブル１０５に限定されず、様々な電子機器間或いは電子機器内の信号伝送ケーブルとしても用いられる。かかる伝送ケーブルとしては、例えばヒンジ機構を介して折畳み自在とした２ピース型の携帯電話機において、ヒンジ機構内に挿通されて各ピース間でＲＦ信号を授受する。携帯電話機は、ヒンジ機構内にＲＦ信号の同軸ケーブル構造を採用することが困難でありフレキシブルケーブルを用いていることから、このフレキシブルケーブルのコネクタ部において伝送ロスが生じるといった問題があった。
【００１４】
したがって、本発明は、各種信号を授受する多ピンコネクタ部における高周波信号の伝送ロスを低減する接続構造を提供することを目的とする。また、本発明は、各種信号を授受する電子機器間において伝送ロスを低減して高周波信号の効率的な授受が行われるようにする信号伝送ケーブルを提供することを目的とする。
【課題を解決するための手段】
【００１５】
上述した目的を達成する本発明にかかる接続構造は、少なくとも３ピン以上のプラグ端子を有するプラグ体と、相対するプラグ端子とそれぞれ接続される少なくとも３ピン以上のジャック端子を有するジャック体とから構成され、各種信号の授受を行う多ピンコネクタ部を構成する。接続構造は、プラグ体側の少なくとも一対のプラグ端子を並列に容量接続して容量接続プラグ端子を構成するとともに、各プラグ端子と相対接続されるジャック体側の少なくとも一対のジャック端子を並列に容量接続して容量接続ジャック端子を構成する。
【００１６】
接続構造においては、多ピンコネクタ部がインダクタ成分の等価回路を構成することにより、高周波数帯域において次第にインピーダンスが高くなって伝送ロスが生じる。接続構造においては、複数のプラグ端子間及びジャック端子間をそれぞれ並列に容量接続して結合することにより多ピンコネクタ部におけるインダクタンスが低減され、伝送ロスを低減して高周波信号を効率的に授受することが可能である。接続構造においては、容量接続プラグ端子を構成する少なくとも一対のプラグ端子と容量接続ジャック端子を構成する少なくとも一対のジャック端子が接続されることによりインダクタンスが低減され、高周波信号の効率的な授受が行われるようにするとともに、高周波信号以外の信号について相対する各プラグ端子と各ジャック端子がそれぞれ単独の接続部を構成して授受が行われるようにする。
【００１７】
接続構造は、容量接続プラグ端子を高周波信号の給電線路用プラグ端子と他の機能の選択されたプラグ端子との少なくとも一対のプラグ端子を容量接続して構成するとともに、容量接続ジャック端子をこれらプラグ端子と相対接続される高周波信号の給電線路用ジャック端子と他の機能の選択されたジャック端子との少なくとも一対のジャック端子を容量接続して構成する。接続構造は、給電線路を構成するプラグ端子とジャック端子のインダクタンスを低減して高周波信号の効率的な授受が行われるようにする。
【００１８】
また、接続構造は、容量接続プラグ端子をグランド線路用のプラグ端子と他の機能の選択されたプラグ端子との少なくとも一対のプラグ端子を容量接続して構成するとともに、容量接続ジャック端子をこれらプラグ端子と相対接続されるグランド線路用のジャック端子と他の機能の選択されたジャック端子との少なくとも一対のジャック端子を容量接続して構成する。接続構造は、グランド線路を構成するプラグ端子とジャック端子のインダクタンスを低減してグランド線路を強化して、高周波信号の効率的な授受が行われるようにする。
【００１９】
接続構造は、少なくとも一対のプラグ端子間を並列に容量接続して容量接続プラグ端子を構成するプラグ側コンデンサと、少なくとも一対のジャック端子間を並列に容量接続して容量接続ジャック端子を構成するジャック側コンデンサが、当該各プラグ端子と各ジャック端子のインダクタンス成分とにより帯域除去フィルタを構成する。接続構造は、所定容量のコンデンサを用いることにより所定の周波数帯域を選択する帯域除去フィルタを構成し、端子間における特性劣化の改善とともに実装部品の削減が図られるようにする。
【００２０】
上述した目的を達成する本発明にかかる信号伝送ケーブルは、少なくとも３ピン以上のプラグ端子を有するプラグ部と、電子機器の接続部と接続されることにより高周波信号を含む信号を入出力する高周波コネクタ部と、これらプラグ部と高周波コネクタ部とを接続するケーブル部とから構成され、プラグ部が、各プラグ端子と相対する少なくとも３ピン以上のジャック端子を有するとともに少なくとも一対のジャック端子が並列に容量接続されて容量接続ジャック端子を構成した電子機器に設けられたジャック体に結合されて信号の授受を行う多ピンコネクタ部を構成する。信号伝送ケーブルは、プラグ部に、ジャック体側の容量接続ジャック端子を構成する各ジャック端子と相対する少なくとも一対のプラグ端子を並列に容量接続することにより容量接続プラグ端子が構成される。
【００２１】
信号伝送ケーブルにおいては、高周波コネクタ部を第１の電子機器と接続するとともにプラグ部を第２の電子機器と接続して高周波信号を含む各種信号の授受を行う。信号伝送ケーブルは、プラグ部を電子機器のジャック体に結合することにより、容量接続プラグ端子を構成する少なくとも一対のプラグ端子と容量接続ジャック端子を構成する少なくとも一対のジャック端子が接続されて、接続部位におけるインダクタンスが低減されるようになる。信号伝送ケーブルは、伝送ロスを低減して電子機器間において高周波信号の効率的な授受が行われるようにする。信号伝送ケーブルは、高周波信号以外の信号について、相対する各プラグ端子と各ジャック端子がそれぞれ単独の接続部を構成して電子機器間において授受が行われるようにする。
【００２２】
信号伝送ケーブルは、プラグ部の容量接続プラグ端子を構成するプラグ側コンデンサが、電子機器のジャック体の容量接続ジャック端子を構成するジャック側コンデンサとともに所定容量のコンデンサを用いることにより、プラグ部をジャック体に結合した状態で所定の周波数帯域を選択する帯域除去フィルタを構成する。したがって、信号伝送ケーブルは、ジャック体とともに端子間における特性劣化を改善しかつ実装部品の削減が図られるようにする。
【発明の効果】
【００２３】
本発明によれば、相対接続される各端子のインダクタ成分が等価回路を構成することで高周波数帯域においてインピーダンスが高くなる高周波信号を含む各種信号を授受する多ピンコネクタ部において、少なくとも一対のプラグ端子を並列に容量接続して容量接続プラグ端子を構成するとともに、各プラグ端子と相対接続される少なくとも一対のジャック端子を並列に容量接続して容量接続ジャック端子を構成することにより、インダクタンスが低減されて高周波信号の効率的な授受を行うとともに、高周波信号以外の信号も相対する各プラグ端子と各ジャック端子を介して授受が行われる。本発明によれば、簡易な構成により高周波信号用の接続部を独立に構成することなく多ピンコネクタ部を構成することが可能であり、また所定の周波数帯域を選択する帯域除去フィルタを構成することも可能である。
【発明を実施するための最良の形態】
【００２４】
以下、本発明の実施の形態について、図面を参照して詳細に説明する。実施の形態として示す信号伝送ケーブル装置（以下、伝送ケーブルと略称する）１は、各種電子機器間を接続して高周波信号を含む各種信号を効率よく授受する。伝送ケーブル１は、例えば図１に示すようにイヤホンアンテナ１０１とともに屋外アンテナや室内アンテナ等の各種アンテナ１５を接続するアンテナコンセント１６と携帯電話機５とを接続し、テレビジョン放送番組を受信して携帯電話機５により良好な状態で視聴可能とする。伝送ケーブル１は、上述した従来の伝送ケーブル１０５と同様に、携帯電話機５とテレビジョン受像機やパーソナルコンピュータ等を接続して各種信号を授受することも可能である。
【００２５】
伝送ケーブル１は、基本的な構成を上述した従来の伝送ケーブル１０５と同様とし、図２に示すように多芯ケーブル２と、この多芯ケーブル２の一端側に設けられてアンテナコンセント１６に着脱される高周波コネクタ部３と、多芯ケーブル２の他端側に設けられて携帯電話機５の入出力端子部６に着脱されるプラグ部４とにより構成される例えば１０ピン構成の多芯ケーブル体からなる。
【００２６】
伝送ケーブル１も、図示を省略するがプラグ部４が、基板７に多芯ケーブル２の各芯線と接続される１０ピン構成のプラグ端子８Ａ〜８Ｊ（以下、個別に説明する場合を除いてプラグ端子８と総称する。）がパターン形成され、これらプラグ端子８を露出させた状態で基板７を絶縁ケース内に収納する。伝送ケーブル１は、各プラグ端子８がそれぞれ所定の機能を以って携帯電話機５側の相対するジャック端子９Ａ〜９Ｊ（以下、個別に説明する場合を除いてジャック端子９と総称する。）とそれぞれ接続する。
【００２７】
伝送ケーブル１は、各プラグ端子８が例えば図３に示す機能を付与して用いられる。各プラグ端子８は、第１プラグ端子８Ａが高周波信号給電機能のアンテナ用プラグ端子、第３プラグ端子８Ｃがステレオ・モノラル検出信号が流れるステレオ・モノラル検出信号用プラグ端子、第４プラグ端子８ＤがオーディオＲチャンネル信号が流れるオーディオＲチャンネル用プラグ端子、第５プラグ端子８ＥがオーディオＬチャンネル信号が流れるオーディオＬチャンネル用プラグ端子、第６プラグ端子８Ｆが接続検出信号が流れる接続検出用プラグ端子、第１０プラグ端子８ＪがグランドＧと接続されるグランド用端子として機能する。伝送ケーブル１は、上述した使用形態で、他のプラグ端子８Ｂ、８Ｇ、８Ｈ、８Ｉがそれぞれ開放端子とされる。
【００２８】
一方、携帯電話機５においても、伝送ケーブル１を接続して用いる場合に、入出力端子部６の各ジャック端子９に上述した各プラグ端子８に対応する機能がそれぞれ付与されて相対接続される。各ジャック端子９は、第１プラグ端子８Ａに対応する第１ジャック端子９Ａがアンテナ用ジャック端子、第３プラグ端子８Ｃに対応する第３ジャック端子９Ｃがステレオ・モノラル検出用プラグ端子、第４プラグ端子８Ｄに対応する第４ジャック端子９ＤがオーディオＲチャンネル用プラグ端子、第５プラグ端子８Ｅに対応する第５ジャック端子９ＥがオーディオＬチャンネル用プラグ端子、第６プラグ端子８Ｆに対応する第６ジャック端子９Ｆが接続検出用プラグ端子、第１０プラグ端子８Ｊに対応する第１０ジャック端子９ＪがグランドＧと接続されるグランド端子として機能する。各ジャック端子９は、他のジャック端子９Ｂ、９Ｇ、９Ｈ、９Ｉが開放端子とされる。
【００２９】
伝送ケーブル１においては、上述したようにプラグ部４を携帯電話機５側の入出力端子部６に接続することにより、これらプラグ部４と入出力端子部６とが相対接続されるプラグ端子８とジャック端子９との間において高周波信号（ＲＦ信号）と低周波信号（オーディオ信号）或いは各種検出信号等を授受する多ピンコネクタ部１０を構成する。
【００３０】
多ピンコネクタ部１０は、上述したようにプラグ端子８とジャック端子のインダクタ成分が等価回路を構成し、ＲＦ信号の伝送系でＺ＝ｊ２πｆＬのインダクタ成分となって高帯域化にしたがってインピーダンスが次第に高くなり伝送ロスを生じさせる。多ピンコネクタ部１０においては、後述するように容量接続プラグ端子と容量接続ジャック端子を構成することにより、オーディオ信号や検出信号の授受に影響を及ぼすことなくプラグ端子８とジャック端子９のインダクタンスを低減して伝送特性の改善を図るとともに、グランド線路を強化してＲＦ信号を効率的に伝送する。
【００３１】
すなわち、多ピンコネクタ部１０は、図１及び図４に示すように伝送ケーブル１側のプラグ部４において、ＲＦ信号給電用のアンテナ用プラグ端子を構成する第１プラグ端子８Ａとステレオ・モノラル検出用プラグ端子を構成する第３プラグ端子８Ｃを第１コンデンサ１１を介して並列に容量接続することにより容量接続プラグ端子を構成する。また、多ピンコネクタ部１０は、携帯電話機５側の入出力端子部６においも、ＲＦ信号給電用のアンテナ用ジャック端子を構成する第１ジャック端子９Ａとステレオ・モノラル検出用ジャック端子を構成する第３ジャック端子９Ｃとが第２コンデンサ１２を介して並列に容量接続することにより容量接続ジャック端子を構成する。なお、多ピンコネクタ部１０は、第１コンデンサ１１や第２コンデンサ１２に、例えば１０ｐＦ〜１００００ｐＦのコンデンサが用いられる。
【００３２】
したがって、多ピンコネクタ部１０においては、伝送ケーブル１のプラグ部４と携帯電話機５の入出力端子部６が、相対する第１プラグ端子８Ａと第３プラグ端子８Ｃを並列に容量接続した容量接続プラグ端子と第１ジャック端子９Ａと第３ジャック端子９Ｃを並列に容量接続した容量接続ジャック端子をそれぞれ接続してＲＦ信号伝送路を構成することで、プラグ端子とジャック端子のインダクタンスを１／２に低減してＲＦ信号を授受することになる。多ピンコネクタ部１０においては、相対接続された第３プラグ端子８Ｃと第３ジャック端子９Ｃ間を流れるＤＣ信号であるステレオ・モノラル検出用信号が第１コンデンサ１１及び第２コンデンサ１２により第１プラグ端子８Ａや第１ジャック端子９Ａに対してカットされる。したがって、多ピンコネクタ部１０においては、ステレオ・モノラル検出用信号の伝送系に影響が生じることは無い。
【００３３】
多ピンコネクタ部１０においては、上述したように伝送ケーブル１側の容量接続プラグ端子８Ａ、８Ｃと携帯電話機５側の容量接続ジャック端子９Ａ、９Ｃによりインダクタンスが低減されたＲＦ信号伝送路を構成することにより、伝送ロスを低減してＲＦ信号の効率的な授受が行われるようになる。なお、多ピンコネクタ部１０においては、第１プラグ端子８Ａや第１ジャック端子９Ａに対してＲＦ信号伝送系を構成しないプラグ端子８Ｃやジャック端子９Ｃを選択して容量接続を行うようにしたが、かかる構成に限定されないことは勿論である。多ピンコネクタ部１０は、ＲＦ信号伝送系を構成しないさらに複数のプラグ端子８やジャック端子９をそれぞれ選択して互いに並列に容量接続を行うようにしてもよい。
【００３４】
多ピンコネクタ部１０においては、上述したプラグ端子８とジャック端子９のインダクタンス低減とともに、グランド線路の強化を図ってさらにＲＦ信号が効率的に授受されるように構成される。多ピンコネクタ部１０においては、図１及び図４に示すように伝送ケーブル１側のプラグ部４において、ＲＦ信号用のグランドプラグ端子を構成する第１０プラグ端子８Ｊと携帯電話機５との接続を検出する接続検出用プラグ端子を構成する第６プラグ端子８Ｆを第３コンデンサ１３を介して並列に容量接続することにより容量接続グランドプラグ端子を構成する。また、多ピンコネクタ部１０は、携帯電話機５側の入出力端子部６においも、ＲＦ信号用のグランド用プラグ端子を構成する第１０ジャック端子９Ｊと伝送ケーブル１との接続を検出する接続検出用ジャック端子を構成する第６ジャック端子９Ｆを第４コンデンサ１４を介して並列に容量接続することにより容量接続グランドジャック端子を構成する。なお、多ピンコネクタ部１０は、第３コンデンサ１３や第４コンデンサ１４にも、例えば１０ｐＦ〜１００００ｐＦのコンデンサが用いられる。
【００３５】
したがって、多ピンコネクタ部１０においては、伝送ケーブル１のプラグ部４と携帯電話機５の入出力端子部６が、相対する第１０プラグ端子８Ｊと第６プラグ端子８Ｆを並列に容量接続した容量接続グランドプラグ端子と第１０ジャック端子９Ｊと第６ジャック端子９Ｆを並列に容量接続した容量接続グランドジャック端子をそれぞれ接続してＲＦ信号伝送路を構成することで、グランドプラグ端子とグランドジャック端子のインダクタンスを１／２に低減してＲＦ信号を授受することになり、グランド線路の強化が図られてＲＦ信号が効率的に授受されるようになる。
【００３６】
多ピンコネクタ部１０においては、相対接続された第６プラグ端子８Ｆと第６ジャック端子９Ｆ間を流れるＤＣ信号である接続検出用信号が、第３コンデンサ１３及び第４コンデンサ１４により第１０プラグ端子８Ｊや第１０ジャック端子９Ｊに対してカットされてグランドＧに落ちることは無い。したがって、多ピンコネクタ部１０においては、接続検出用信号の伝送系に影響が生じることは無い。なお、多ピンコネクタ部１０においては、グランド用の第１０プラグ端子８Ｊや第１０ジャック端子９Ｊに対してＲＦ信号伝送系を構成しない第６プラグ端子８Ｆ７第６ジャック端子９Ｆを選択して容量接続を行うようにしたが、かかる構成に限定されないことは勿論である。多ピンコネクタ部１０は、ＲＦ信号伝送系を構成しないさらに複数のプラグ端子８やジャック端子９をそれぞれ選択して互いに並列に容量接続して容量接続グランドプラグ端子や容量接続グランドジャック端子を構成するようにしてもよい。
【００３７】
多ピンコネクタ部１０においても、図４に示すようにプラグ部４の各プラグ端子８と入出力端子部６の各ジャック端子９を相対接続することにより、各プラグ端子８と各ジャック端子９のインダクタ成分Ｌの等価回路を構成する。多ピンコネクタ部１０は、各プラグ端子８と各ジャック端子９間のインダクタンスＬがそれぞれ１５ｎＨ、第１コンデンサ１１〜第４コンデンサ１４の容量がそれぞれ１０００ｐＦとした場合に、ＲＦ信号の伝送周波数の変化に伴う伝送特性の変化（伝送ロス）として図５に実線で示したシミュレーション結果を得る。多ピンコネクタ部１０は、同図破線で示す従来の伝送ケーブル１０５の伝送特性の変化との比較で、地上波デジタルテレビジョン放送の使用周波数帯域（４７０ＭＨｚ〜６９０ＭＨｚ）で約３ｄＢの効率化が図られる。
【００３８】
多ピンコネクタ部１０は、上述したように第１コンデンサ１１〜第４コンデンサ１４を用いて容量接続プラグ端子と容量接続ジャック端子及び容量接続グランドプラグ端子と容量接続グランドジャック端子とを構成する。多ピンコネクタ部１０は、プラグ部４の基板７や入出力端子部６の基板上に形成した接続パターンを介して各プラグ端子８や各ジャック端子９に対して第１コンデンサ１１〜第４コンデンサ１４を接続する。また、多ピンコネクタ部１０は、プラグ部４や入出力端子部６に対して第１コンデンサ１１〜第４コンデンサ１４をチップ部品として搭載することも可能である。多ピンコネクタ部１０は、第１コンデンサ１１〜第４コンデンサ１４を用いるが、プラグ部４や入出力端子部６がさほど大型化したりコストアップするといったことも無い。
【００３９】
図６に示した第２の実施の形態も、上述した伝送ケーブル１と基本的な構成を同様とする伝送ケーブル２０を用いて、上述した携帯電話機５と基本的な構成を同様とする携帯電話機２１とアンテナ１５を接続した適用例である。第２の実施の形態においても、多ピンコネクタ部２２を構成する各プラグ端子８と各ジャック端子９のインダクタンス低減とともに、グランド線路の強化を図ってＲＦ信号を効率的に授受するように構成したものであり、上述した第１の実施の形態と対応する部位には同一符号を付すことにより説明を省略する。
【００４０】
第２の実施の形態として示す多ピンコネクタ部２２においては、伝送ケーブル２０側において同図に示すようにＲＦ信号給電用の第１プラグ端子８Ａに対して第５コンデンサ２３を介して開放端子である第２プラグ端子８Ｂが並列に容量接続されることにより容量接続プラグ端子を構成する。多ピンコネクタ部２２においては、携帯電話機２１側においてもＲＦ信号給電用の第１プラグ端子８Ａに相対接続される第１ジャック端子９Ａに対して第２プラグ端子９Ｂに相対接続される開放端子である第２ジャック端子９Ｂが第６コンデンサ２４を介して並列に容量接続されることにより容量接続ジャック端子を構成する。
【００４１】
多ピンコネクタ部２２においては、上述したように伝送ケーブル２０側のプラグ部４を携帯電話機２１側の入出力端子部６に接続することにより、相対する容量接続プラグ端子と容量接続ジャック端子が接続されてＲＦ信号給電線路を構成するプラグ端子８とジャック端子９間のインダクタンスが低減される。多ピンコネクタ部２２においては、携帯電話機２１において他の機器等と接続する際に開放端子である第２ジャック端子９Ｂに所定の機能が付与されても、第６コンデンサ２４により第１ジャック端子９Ａに対して当該第２ジャック端子９Ｂを流れる信号がカットされるようにする。
【００４２】
一方、多ピンコネクタ部２２においては、伝送ケーブル２０側において第１０プラグ端子８Ｊに対して第７コンデンサ２５を介してステレオ・モノラル検出用の第３プラグ端子８Ｃが並列に容量接続されることにより容量接続グランドプラグ端子を構成する。多ピンコネクタ部２２においては、携帯電話機２１側においても第１０プラグ端子８Ｊに相対接続される第１０ジャック端子９Ｊに対して、第８コンデンサ２６を介して第３プラグ端子８Ｃに相対接続されるステレオ・モノラル検出用の第３ジャック端子９Ｃが並列に容量接続されることにより容量接続グランドジャック端子を構成する。
【００４３】
多ピンコネクタ部２２においては、上述したように伝送ケーブル２０側のプラグ部４を携帯電話機２１側の入出力端子部６に接続することにより、相対する容量接続グランドプラグ端子と容量接続グランドジャック端子が接続されてＲＦ信号グランド線路を構成するプラグ端子８とジャック端子９間のインダクタンスを低減してＲＦ信号伝送路におけるグランド線路の強化が図られるようにする。多ピンコネクタ部２２においては、ステレオ・モノラル検出用の第３プラグ端子８Ｃと第３ジャック端子９Ｃの間に流れるＤＣ信号であるステレオ・モノラル検出信号が第７コンデンサ２５や第８コンデンサ２６によりカットされてグランドＧに落ちることは無い。
【００４４】
本発明は、上述した各実施の形態に限定されず、例えば図７に第３の実施の形態として示したＲＦ信号給電線路側をのみを強化した多ピンコネクタ部３０にも展開され、伝送ロスを低減してＲＦ信号の効率的な伝送が行われる。多ピンコネクタ部３０は、伝送ケーブル２０側においてＲＦ信号給電用の第１プラグ端子８Ａに対して第９コンデンサ３１を介して開放端子の第２プラグ端子８Ｂが並列に容量接続されることにより容量接続プラグ端子を構成する。多ピンコネクタ部３０においては、携帯電話機２１側においてもＲＦ信号給電用の第１プラグ端子８Ａに相対接続される第１ジャック端子９Ａに対して、第１０コンデンサ３２を介して第２プラグ端子８Ｂに相対接続される開放端子の第２ジャック端子９Ｂが並列に容量接続されることにより容量接続グランドジャック端子を構成する。
【００４５】
図８に第４の実施の形態として示した多ピンコネクタ部３５は、ＲＦ信号伝送系のグランド線路のみを強化して、伝送ロスを低減してＲＦ信号の効率的な伝送を行う。多ピンコネクタ部３５は、伝送ケーブル２０側においてグランド用の第１０プラグ端子８Ｊに対して第１１コンデンサ３６を介してステレオ・モノラル検出用の第３プラグ端子８Ｃが並列に容量接続されることにより容量接続グランドプラグ端子を構成する。多ピンコネクタ部３５は、携帯電話機２１側において第１０プラグ端子８Ｊに相対接続されるグランド用の第１０ジャック端子９Ｊに対して、第１２コンデンサ３７を介して第３プラグ端子８Ｃに相対接続されるステレオ・モノラル検出用の第３ジャック端子９Ｃが並列に容量接続されることにより容量接続グランドジャック端子を構成する。なお、多ピンコネクタ部３５においても、相対接続された第３プラグ端子８Ｃと第３ジャック端子９Ｃ間を流れるＤＣ信号であるステレオ・モノラル検出用信号が第１１コンデンサ３６及び第１２コンデンサ３７により第１０プラグ端子８Ｊや第１０ジャック端子９Ｊに対してカットされることでステレオ・モノラル検出用信号の伝送系に影響が生じることは無い。
【００４６】
図９及び図１０は、上述した第２の実施の形態として示したＲＦ信号給電線路とグランド線路の強化を図った多ピンコネクタ部２２と、第４の実施の形態として示したグランド線路の強化を図った多ピンコネクタ部３５と、従来の伝送ケーブル１０５の多ピンコネクタ部におけるＲＦ信号の伝送ロスを評価した結果を示した図である。ＲＦ信号の伝送ロス評価は、多ピンコネクタ部２２や多ピンコネクタ部３５にそれぞれ容量が１０００ｐＦのコンデンサを接続し、高周波コネクタ部側から各周波数帯域の信号入力を行い、プラグ部からの出力信号のレベルを計測した。
【００４７】
図９において、Ａ線は、従来の伝送ケーブル１０５の多ピンコネクタ部におけるＲＦ信号の伝送ロスを評価した結果である。Ｂ線は、グランドのみを強化した多ピンコネクタ部３５におけるＲＦ信号の伝送ロスを評価した結果である。Ｃ線は、ＲＦ信号給電線路とグランド線路を強化した多ピンコネクタ部２２におけるＲＦ信号の伝送ロスを評価した結果である。
【００４８】
従来の伝送ケーブル１０５及び多ピンコネクタ部２２と多ピンコネクタ部３５は、図９及び図１０から明らかなように、それぞれ上述したようにＺ＝ｊ２πｆＬで表される相対接続される各プラグ端子と各ジャック端子のインダクタ成分により、周波数帯域があがるにしたがって伝送ロスも大きくなる特性を有している。多ピンコネクタ部２２や多ピンコネクタ部３５は、上述した構成により各プラグ端子と各ジャック端子のインダクタンス成分の減少が図られることにより、従来の伝送ケーブル１０５と比較していずれの周波数帯域においても伝送ロスの低減が図られている。多ピンコネクタ部２２は、ＲＦ信号給電線路とグランド線路を強化したことにより、グランドのみを強化した多ピンコネクタ部３５と比較してＲＦ信号給電線路とグランド線路の強化が図られることにより、伝送ロスの低減が大きい。
【００４９】
図１１に第５の実施の形態として示した多ピンコネクタ部４０は、各プラグ端子８と各ジャック端子９のインダクタ成分と、容量接続グランドプラグ端子と容量接続グランドジャック端子を構成する所定容量のコンデンサとを組み合わせて、帯域除去フィルタ機能を構成する。多ピンコネクタ部４０は、伝送ケーブル２０側においてグランド用の第１０プラグ端子８Ｊに対して第１３コンデンサ４１を介してステレオ・モノラル検出用の第３プラグ端子８Ｃが並列に容量接続されるとともに、開放端子である第８プラグ端子８Ｈが並列に接続される。多ピンコネクタ部４０においては、伝送ケーブル２０側において、かかる容量接続グランドプラグ端子構造によりＲＦ信号のグランド線路を構成することによりグランドプラグ端子のインダクタンス成分が１／３に低減される。
【００５０】
多ピンコネクタ部４０は、携帯電話機２１側において第１０プラグ端子８Ｊに相対接続されるグランド用の第１０ジャック端子９Ｊに対して、第１４コンデンサ４２を介して第３プラグ端子８Ｃに相対接続されるステレオ・モノラル検出用の第３ジャック端子９Ｃが並列に容量接続されるとともに、第１５コンデンサ４３を介して第８プラグ端子８Ｈに相対接続される開放端子である第８ジャック端子９Ｈが並列に容量接続される。多ピンコネクタ部４０においては、携帯電話機２１側においてもかかる容量接続グランドジャック端子構造によりＲＦ信号のグランド線路を構成することにより、グランドジャック端子のインダクタンス成分が１／３に低減される。
【００５１】
多ピンコネクタ部４０においては、伝送ケーブル２０側の第１３コンデンサ４１に容量が１０００ｐＦのコンデンサが用いられるとともに、携帯電話機２１側の第１４コンデンサ４２に容量が１０ｐＦのコンデンサと第１５コンデンサ４３に容量が２７ｐＦのコンデンサを用いる。多ピンコネクタ部４０は、プラグ部４を入出力端子部６に接続することにより、図１２に示すように約１５０ＭＨｚ帯域と４５０ＭＨｚ帯域の周波数信号を選択して通過させない帯域除去フィルタ機能を奏する。
【００５２】
多ピンコネクタ部４０においては、これにより帯域フィルタ素子を不要としてＦＭラジオ帯域からＵＨＦ帯域（５０ＭＨｚ〜１ＧＨｚ）信号の通過特性の向上を図るとともに、小型化と低コスト化が図られるようになる。なお、多ピンコネクタ部４０においては、上述した帯域除去フィルタ機能による周波数の選択条件を適宜設定することにより、例えばテレビジョン番組放送を受信するアンテナ側やテレビジョン受像機１０６に対して携帯電話機２１側から記録情報を伝送する場合等において、上述した当該携帯電話機２１から出射される不要電波が除去されるようにする。
【００５３】
なお、本発明は、上述した携帯電話機と各種アンテナとを伝送ケーブルにより接続する適用例に限定されないことは勿論であり、上述したように例えば携帯電話機とテレビジョン受像機とを伝送ケーブルにより接続する場合等、多ピンコネクタ部を介して低周波信号と高周波信号が混在して伝送される各種電子機器間の接続等に適用される。
【図面の簡単な説明】
【００５４】
【図１】本発明の第１の実施の形態として示す伝送ケーブルにより携帯電話機とアンテナとを接続した適用例の構成図である。
【図２】伝送ケーブルの一部省略正面図である。
【図３】伝送ケーブルのプラグ部に設けられるプラグ端子と携帯電話機の入出力端子部に設けられるジャック端子の機能図である。
【図４】多ピンコネクタ部に構成される等価回路の説明図である。
【図５】多ピンコネクタ部におけるＲＦ信号の伝送周波数の変化に伴う伝送特性変化のシミュレーション結果を示す図である。
【図６】本発明の第２の実施の形態として示す伝送ケーブルにより携帯電話機とアンテナとを接続した適用例の構成図である。
【図７】本発明の第３の実施の形態として示す伝送ケーブルにより携帯電話機とアンテナとを接続した適用例の構成図である。
【図８】本発明の第４の実施の形態として示す伝送ケーブルにより携帯電話機とアンテナとを接続した適用例の構成図である。
【図９】各多ピンコネクタ部の特性評価図である。
【図１０】同特性評価の一覧図である。
【図１１】本発明の第５の実施の形態として示す伝送ケーブルにより携帯電話機とアンテナとを接続した適用例の構成図である。
【図１２】同多ピンコネクタ部の帯域除去フィルタ特性図である。
【図１３】携帯電話機にイヤホンアンテナを接続した使用状態の説明図である。
【図１４】携帯電話機とテレビジョン受像機を接続した使用状態の説明図である。
【図１５】携帯電話機に従来の伝送ケーブルを接続して構成される多ピンコネクタ部の構成図である。
【図１６】同多ピンコネクタ部に構成される等価回路の説明図である。
【図１７】同多ピンコネクタ部における伝送特性図である。
【符号の説明】
【００５５】
１  伝送ケーブル、２  多芯ケーブル、３  高周波コネクタ部、４  プラグ部、５  携帯電話機、６  入出力端子部、７  基板、８  プラグ端子、９  ジャック端子、１０  多ピンコネクタ部、１１〜１４  コンデンサ、１５  アンテナ、１６  アンテナコンセント、２０  伝送ケーブル、２１  携帯電話機、２２  多ピンコネクタ部、２３〜２６  コンデンサ、３０  多ピンコネクタ部、３１，３２  コンデンサ、３５  多ピンコネクタ部、３６，３７  コンデンサ、４０  多ピンコネクタ部、４１〜４３  コンデンサ
【手続補正２】
【補正対象書類名】図面
【補正対象項目名】図６
【補正方法】変更
【補正の内容】
【図６】
2008204911.tif 000020
【手続補正３】
【補正対象書類名】図面
【補正対象項目名】図１４
【補正方法】変更
【補正の内容】
【図１４】
2008204911.tif 000021